(57)【要約】      （修正有）【課題】コンピュータシステム及びそのベース構造を提供する。【解決手段】コンピュータシステム１は外部接続表示器２０と、ポータブル電子装置１０と、ベース１００と、拡張装置３０とを有する。ポータブル電子装置は本体１１と、この本体に接続するスクリーンとを有し、外部接続表示器に電気接続する。ベースは第一部材１１０と、第一部材１１０と直接接続する第二部材１２０とを有し、第二部材１２０は第一部材１１０に対して、第一方位と第二方位の間で水平に回転することができる。第二部材１２０の上にポータブル電子装置を取外し可能な方式で設置する。第二部材１２０は拡張スロットを含み、拡張装置が拡張スロットに差込まれ、拡張装置はベースによって、ポータブル電子装置に電気接続する。さらに、ポータブル電子装置は、ベースによって、外部接続表示器に電気接続され、外部接続表示器によって画像を表示する。【選択図】図１Ａ
2014139817.tif 000002
【特許請求の範囲】
【請求項１】
外部接続表示器と、
本体と、前記本体に接続するスクリーンとを有し、前記外部接続表示器に電気接続されるポータブル電子装置と、
第一部材と、前記第一部材と直接接続する第二部材を有し、前記第二部材は前記第一部材に対して、第一方位と第二方位との間で水平に回転することができ、前記第二部材の上に前記ポータブル電子装置が取外し可能な方式で設置されるベースと、
前記第二部材の上に取外し可能な方式で設置され、前記ベースによって、前記ポータブル電子装置に電気接続される拡張装置とを備え、
前記ポータブル電子装置は、前記ベースによって、前記外部接続表示器に電気接続され、前記ポータブル電子装置は、前記外部接続表示器によって画像を表示することを特徴とするコンピュータシステム。
【請求項２】
前記拡張装置は光学的記憶装置、またはポータブルハードディスクであることを特徴とする請求項１に記載のコンピュータシステム。
【請求項３】
前記ポータブル電子装置はノートパソコン、またはフラットパネルコンピュータであることを特徴とする請求項１に記載のコンピュータシステム。
【請求項４】
前記第一部材は、第一結合部と外部接続ポートを有し、前記第二部材は、第二結合部とソケットを有し、前記第一結合部は前記第二結合部に結合し、前記第二結合部は前記第一結合部に対して回転することによって、前記第二部材は前記第一部材に対して、前記第一方位と前記第二方位の間で回転することができ、前記ポータブル電子装置は前記第二部材の前記ソケットに取外し可能な方式で直立して差し込まれ、前記第一結合部は凸塊であり、前記第二結合部は凹みであり、前記凸塊は前記凹みに挿入され、前記第二部材は拡張スロットを更に含み、前記拡張装置は前記拡張スロットに差込まれることを特徴とする請求項１に記載のコンピュータシステム。
【請求項５】
前記第二部材は底面と少なくとも一つの支持部材を含み、前記支持部材は前記底面から突出することを特徴とする請求項４に記載のコンピュータシステム。
【請求項６】
前記ソケットはノッチを有し、前記ポータブル電子装置が前記ソケットの中に置かれた時、前記ポータブル電子装置のスクリーンは前記ノッチに向けられることを特徴とする請求項４に記載のコンピュータシステム。
【請求項７】
前記ソケットは位置決め柱を有し、前記ポータブル電子装置は前記ソケットの中に置かれた時、前記位置決め柱を前記ポータブル電子装置に挿入することを特徴とする請求項４に記載のコンピュータシステム。
【請求項８】
前記ソケットは複数のリブを有し、前記複数のリブは前記ソケットの側壁に形成され、前記ポータブル電子装置が前記ソケットの中に置かれた時、前記複数のリブは前記ポータブル電子装置に接触することを特徴とする請求項４に記載のコンピュータシステム。
【請求項９】
前記ソケットは内部に設けられたメインコネクタを有し、前記ポータブル電子装置が前記ソケットの中に置かれた時、前記メインコネクタは前記ポータブル電子装置に接続することを特徴とする請求項４に記載のコンピュータシステム。
【請求項１０】
前記第二部材は位置決め凸点を含み、前記第一部材は第一位置決め凹陥部と第二位置決め凹陥部を含み、前記第二部材は前記第一方位に位置した時、前記位置決め凸点は前記第一位置決め凹陥部に係合し、前記第二部材が前記第二方位に位置した時、前記位置決め凸点は前記第二位置決め凹陥部に係合することを特徴とする請求項４に記載のコンピュータシステム。
【請求項１１】
前記第二部材は位置決め凸塊を含み、前記第一部材は位置決め溝を含み、前記位置決め凸塊は前記位置決め溝内をスライドし、前記第二部材が前記第一方位に位置した時、前記位置決め凸塊は前記位置決め溝の底部端に接することを特徴とする請求項４に記載のコンピュータシステム。
【請求項１２】
前記第一方位と前記第二方位との間の角度は８０度〜１００度であることを特徴とする請求項４に記載のコンピュータシステム。
【請求項１３】
前記第一部材は長手状を呈し、前記第二部材は前記第一部材の端部に接続することを特徴とする請求項４に記載のコンピュータシステム。
【請求項１４】
前記第一部材は長手状を呈し、前記第二部材は前記第一部材の中央部分に接続することを特徴とする請求項４に記載のコンピュータシステム。
【請求項１５】
前記第一部材は第一円盤構造を含み、前記第二部材は第二円盤構造を含み、前記第二円盤構造は前記第一円盤構造に対応して接続し、且つ前記第一円盤構造に対して回転することを特徴とする請求項４に記載のコンピュータシステム。
【発明の詳細な説明】
【技術分野】
【０００１】
本発明は、コンピュータシステムに関し、特に、回転可能なベースを有するコンピュータシステムに関するものである。
【背景技術】
【０００２】
従来のコンピュータシステムのベースは、コンピュータボックスを直立し、転倒するのを防ぐために用いられる。従来のベースは、単にサポート（支持）の機能だけを提供し、コンピュータボックスと電気接続せず、且つコンピュータボックスと電気接続する必要もない。一旦、コンピュータボックスとベースはデスク上での設置が完成した後、コンピュータボックスとベースの位置を移動することはない。
【発明の概要】
【発明が解決しようとする課題】
【０００３】
本発明の目的は、コンピュータシステムのベースを可動させることができるコンピュータシステム及びそのベース構造を提供することである。
【課題を解決するための手段】
【０００４】
本発明は従来技術の問題を解決するために、外部接続表示器と、ポータブル電子装置と、ベースと、拡張装置とを含むコンピュータシステムを提供し、ポータブル電子装置は本体と、本体に接続するスクリーンとを有し、外部接続表示器に電気接続する。ベースは第一部材と、第一部材と直接接続する第二部材を有し、第二部材は第一部材に対して、第一方位と第二方位との間で水平に回転することができ、第二部材の上にポータブル電子装置を取外し可能な方式で設置する。第二部材は拡張スロットを含み、拡張装置が拡張スロットに差込まれ、拡張装置はベースによって、ポータブル電子装置に電気接続する。さらに、ポータブル電子装置は、ベースによって、外部接続表示器に電気接続され、ポータブル電子装置は、外部接続表示器によって画像を表示する。
【０００５】
本発明のコンピュータシステムを使用した場合、第二部材は第二方位に位置することで、スクリーンをユーザーに向けさせる。ポータブル電子装置は外部接続表示器とスクリーンにより、画像を表す。ユーザーは外部接続表示器、またはスクリーンを選択してウィンドウを表示することができる。本発明を応用して、ユーザーはポータブル電子装置のスクリーンの方位を容易に調整することができると同時に、ベースはポータブル電子装置を十分に支持することができる。
【発明の効果】
【０００６】
本発明のコンピュータシステム及びそのベース構造によれば、ユーザーはポータブル電子装置のスクリーンの方位を容易に調整することができると同時に、ベースはポータブル電子装置を十分に支持することができる。
【図面の簡単な説明】
【０００７】
【図１Ａ】本発明の第一実施例のコンピュータシステムを示す図であり、ベースの第二部材は第一方位に位置する。
【図１Ｂ】本発明の第一実施例のコンピュータシステムを示す図であり、ベースの第二部材は第二方位に位置する。
【図２Ａ】ベースの細部構造を示す図であり、ベースの第二部材は第二方位に位置する。
【図２Ｂ】ベースを示す分解図である。
【図２Ｃ】ベースの細部構造を示す図であり、ベースの第二部材は第一方位に位置する。
【図３】本発明の一つの変形例のベースを示す図である。
【図４】本発明の第二実施例のベースを示す図である。
【図５】本発明の第三実施例のベースを示す図である。
【発明を実施するための形態】
【０００８】
本発明についての目的、特徴、長所が一層明確に理解されるよう、以下に実施形態を例示し、図面を参照にしながら、詳細に説明する。
【実施例】
【０００９】
図１Ａと図１Ｂを参照すると、本発明の第一実施例のコンピュータシステム１を表しており、ポータブル電子装置１０（ノートパソコン、フラットパネルコンピュータ、またはその他のポータブルコンピュータ）と、外部接続表示器２０（デスクトップ型表示器、またはその他の表示器）と、ベース１００とを含む。ポータブル電子装置１０は本体１１とスクリーン１２を含み、スクリーン１２は本体１１に接続する。ポータブル電子装置１０は外部接続表示器２０に電気接続する。ベース１００は第一部材１１０と第二部材１２０を含み、第一部材１１０は第二部材１２０に接続し、第二部材１２０は第一部材１１０に対して、第一方位（図１Ａに示す方位）と第二方位（図１Ｂに示す方位）の間で回転し、ポータブル電子装置１０は第二部材１２０の上に取外し可能な方式で設置する。
【００１０】
図１Ｂを参照すると、本発明のコンピュータシステム１を使用した場合、第二部材１２０は第二方位に位置することで、スクリーン１２をユーザーに向けさせる。ポータブル電子装置１０は外部接続表示器２０とスクリーン１２により画像を表す。ユーザーは外部接続表示器２０、またはスクリーン１２を選択してウィンドウを表示することができる。本発明を応用して、ユーザーはポータブル電子装置１０のスクリーン１２の方位を容易に調整することができると同時に、ベース１００はポータブル電子装置１０を十分に支持することができる。
【００１１】
図２Ａと図２Ｂを参照すると、ベース１００の細部構造を示している。図２Ｂを参照すると、第一部材１１０は第一結合部１１１を含み、第二部材１２０は第二結合部１２１を含み、第一結合部１１１を第二結合部１２１に挿入することによって、第二部材１２０は第一結合部１１１に対して回転する。この実施例において、第一結合部１１１は凸塊であり、第二結合部１２１は凹みである。
【００１２】
図２Ａを参照すると、第二部材１２０はソケット１２２と、拡張スロット１２３と、底面１２４と、少なくとも一つの支持部材１２５とを含み、支持部材１２５は底面１２４に突出し、第二部材１２０は第二方位に位置した時、支持部材１２５はデスクと接触し、安定した支持を提供することができる。ポータブル電子装置１０はソケット１２２の中に差し込む。ソケット１２２はノッチ１２２１を有し、ポータブル電子装置１０がソケット１２２の中に置かれた時、スクリーン１２がノッチ１２２１に向けられることによって、スクリーン１２の画面がソケット１２２の端部により妨害されるのを防ぐことができる。ソケット１２２は位置決め柱１２２２と、複数のリブ１２２３と、メインコネクタ１２２４とを更に有する。ポータブル電子装置１０はソケット１２２の中に置かれた時、位置決め柱１２２２をポータブル電子装置１０に挿入することで、位置決めさせる。複数のリブ１２２３はソケット１２２の側壁に形成し、ポータブル電子装置１０がソケット１２２の中に置かれた時、複数のリブ１２２３はポータブル電子装置１０に接触する。メインコネクタ１２２４はソケット１２２の中に設けられ、ポータブル電子装置１０がソケット１２２の中に置かれた時、メインコネクタ１２２４はポータブル電子装置１０に電気接続する。
【００１３】
この実施例において、第一部材１１０は外部接続ポート１１５を有し、外部接続表示器２０と電気接続するのに用いられる。
【００１４】
図１Ｂと図２Ａを参照すると、コンピュータシステムは拡張装置３０を更に含み、拡張装置３０は拡張スロット１２３に差込まれる。拡張装置３０はベース１００によって、ポータブル電子装置１０に電気接続する。拡張装置３０は光学的記憶装置、ポータブルハードディスク、またはその他の記憶装置、または送信装置である。
【００１５】
図２Ｂを参照すると、一つの実施例において、第二部材１２０は位置決め凸点１２６を含み、第一部材１１０は第一位置決め凹陥部１１２と第二位置決め凹陥部１１３を含み、第二部材１２０は第一方位に位置した時、位置決め凸点１２６は第一位置決め凹陥部１１２に係合する。第二部材１２０は第二方位に位置した時、位置決め凸点１２６は第二位置決め凹陥部１１３に係合する。この実施例において、第一方位と第二方位の間の角度は８０〜１００度であり、例えば９０度である。一つの変形例において、位置決め凹陥部の数量を増加し、位置決め凸点を異なる方位で係合して位置決めし易くさせることができる。図２Ｃはベース１００の細部構造を表しており、ベース１００の第二部材１２０は第一方位に位置する。
【００１６】
第一部材１１０上に支持部１１４を更に形成することができ、支持部１１４はベース１００の安定度を増すのに用いられる。
【００１７】
図３を参照すると、一つの変形例において、第二部材１２０は位置決め凸塊１２６’を含み、第一部材１１０は位置決め溝１１２’を含み、位置決め凸塊１２６’は位置決め溝１１２’内をスライドし、第二部材１２０は第一方位に位置した時、位置決め凸塊１２６’は位置決め溝１１２’の底部端に接する。
【００１８】
本発明の第一実施例において、第一部材１１０は長手状を呈し、第二部材１２０は第一部材１１０の端部に接続する。
【００１９】
図４を参照すると、本発明の第二実施例のベース１００’を表しており、第一部材１１０’は長手状を呈し、第二部材１２０’は第一部材１１０’の中央部分に接続する。第一実施例と同じく、第一部材１１０’は支持部１１４’を有し、支持部１１４’はベース１００の安定度を増すのに用いられる。
【００２０】
図５を参照すると、本発明の第三実施例のベース１００’’を表しており、第一部材１１０’’は第一円盤構造１１９を含み、第二部材１２０’’は第二円盤構造１２９を含み、第二円盤構造１２９は第一円盤構造１１９に対して接続し、且つ第一円盤構造１１９に対して回転する。第一実施例、第二実施例のベースと比べて、第三実施例のベース１００’’は回転する時において、比較的に安定しているが、体積は比較的に大きいのである。
【００２１】
以上、本発明の好適な実施例を例示したがこれは本発明を限定するものではなく、本発明の精神及び範囲を逸脱しない限りにおいては、当業者であれば行い得る少々の変更や修飾を付加することが可能である。従って、本発明が請求する保護範囲は、特許請求の範囲を基準とする。
【符号の説明】
【００２２】
１  コンピュータシステム
１０  ポータブル電子装置
１１  本体
１２  スクリーン
２０  外部接続表示器
３０  拡張装置
１００、１００’、１００’’  ベース
１１０、１１０’、１１０’’  第一部材
１１１  第一結合部
１１２  第一位置決め凹陥部
１１２’  位置決め溝
１１３  第二位置決め凹陥部
１１４、１１４’  支持部
１１５  外部接続ポート
１１９  第一円盤構造
１２０、１２０’、１２０’’  第二部材
１２１  第二結合部
１２２  ソケット
１２２１  ノッチ
１２２２  位置決め柱
１２２３  リブ
１２２４  メインコネクタ
１２３  拡張スロット
１２４  底面
１２５  支持部材
１２６  位置決め凸点
１２６’  位置決め凸塊
１２９  第二円盤構造
【図１Ａ】
2014139817.tif 000003
【図１Ｂ】
2014139817.tif 000004
【図２Ａ】
2014139817.tif 000005
【図２Ｂ】
2014139817.tif 000006
【図２Ｃ】
2014139817.tif 000007
【図３】
2014139817.tif 000008
【図４】
2014139817.tif 000009
【図５】
2014139817.tif 000010